(57)【要約】【課題】設置場所の自由度が高く、カメラの小型化と重量増加の防止を図ることができる据置き型カメラ装置を提供する。【解決手段】撮影レンズ（２５）を正面に有するカメラ（３）と、カメラ（３）を支持する支持装置（５）とを備え、カメラ（３）の背面に、支持装置（５）が取り付けられる取付部（４１）が設けられ、支持装置（５）は、取付部に固定される装着部品（６７）と、設置面に対応する取付面（７８）を有する支柱部品（６５）と、支柱部品（６５）に対する装着部品（６７）の位置及び姿勢を変えることで、カメラ（３）の撮影方向を、取付面（７８）に垂直な方向と取付面（７８）に平行な方向との間で可変とする回転機構（６３）とを備える。【選択図】図６
2019087776.tif 000002
【特許請求の範囲】
【請求項１】
撮影レンズを正面に有するカメラと、
前記カメラを設置面に支持する支持装置とを備える据置き型カメラ装置であって、
前記カメラの背面には、前記支持装置が取り付けられる取付部が設けられ、
前記支持装置は、前記取付部に固定される装着部品と、前記設置面に対応する取付面を有する設置部品と、該設置部品に対する前記装着部品の位置及び姿勢を変えることで、前記カメラの撮影方向を、前記取付面に垂直な方向と該取付面に平行な方向との間で可変とする撮影方向可変機構とを備える
ことを特徴とする据置き型カメラ装置。
【請求項２】
請求項１に記載された据置き型カメラ装置において、
前記取付部は、前記カメラの背面の中央位置又は中央寄りの位置に設けられている
ことを特徴とする据置き型カメラ装置。
【請求項３】
請求項１又は２に記載された据置き型カメラ装置において、
前記カメラの背面には、前記取付部を周囲で支持する補強部が設けられている
ことを特徴とする据置き型カメラ装置。
【請求項４】
請求項１〜３のいずれか１項に記載された据置き型カメラ装置において、
前記カメラは、撮像素子を含むカメラモジュールを収容する筐体を備え、
前記筐体のうち前記カメラの背面を構成する部分には、前記取付部と該取付部の周囲で前記筐体の内方に突出するボスとが設けられており、
前記ボスには、前記筐体の内部に設けられた金属板がねじ止めされている
ことを特徴とする据置き型カメラ装置。
【発明の詳細な説明】
【技術分野】
【０００１】
本開示は、監視カメラ装置のような長時間に亘って所定の場所を撮影する据置き型カメラ装置に関する。
【背景技術】
【０００２】
従来から、この種の据置き型カメラ装置においては、設置場所が限定されないように、三脚や取付台などの支持装置を取り付けるためのねじ受け部や取付座などの取付部を、カメラ筐体の下面のみではなく、筐体の上面や側面にも設けるようにした構成が知られている（例えば、特許文献１及び２参照）。
【先行技術文献】
【特許文献】
【０００３】
【特許文献１】特開２００６−１４０６７３号公報
【特許文献２】特開２０１７−０９２７６８号公報
【発明の概要】
【発明が解決しようとする課題】
【０００４】
もっとも、上記のように筐体の上下や左右の面に取付部を設定するとなると、各面に取付部を設けるためのスペースが必要になり、筐体の大型化を招来してしまう。また、取付部は、支持装置との連結部分を堅固にして支持装置から加えられる力に耐え得るようにするために補強する必要があり、筐体の取付部が設けられた各面に補強構造を設けるとなると、カメラの重量が増加してしまう。
【０００５】
本開示の技術は、斯かる点に鑑みてなされたものであり、その目的とするところは、設置場所の自由度が高く、カメラの小型化と重量増加の防止を図ることができる据置き型カメラ装置を提供することにある。
【課題を解決するための手段】
【０００６】
上記の目的を達成するために、本開示の技術では、カメラの背面に支持装置を取り付けて、支持装置にカメラの向きを可変とする機構を持たせるようにした。
【０００７】
具体的には、本開示の技術は、撮影レンズを正面に有するカメラと、カメラを設置面に支持する支持装置とを備える据置き型カメラ装置を対象とする。
【０００８】
本開示の技術に係る据置き型カメラ装置は、カメラの背面に、支持装置が取り付けられる取付部が設けられている。支持装置は、その取付部に固定される装着部品と、設置面に対応する取付面を有する設置部品と、設置部品に対する装着部品の位置及び姿勢を変えることで、カメラの撮影方向を、取付面に垂直な方向と取付面に平行な方向との間で可変とする撮影方向可変機構とを備える。
【０００９】
この構成によると、カメラの背面に取付部を設け、その取付部にてカメラの背面に支持装置を固定し、その支持装置に、カメラの撮影方向を、当該支持装置の取付面に垂直な方向（つまり、据置き型カメラ装置の設置面に垂直な方向）と、その取付面に平行な方向（つまり、据置き型カメラ装置の設置面に平行な方向）との間で可変とする撮影方向可変機構を持たせるようにしたから、支持装置の設置場所に応じてカメラの向きを自由に変えることができる。これにより、据置き型カメラ装置の設置場所の自由度を高くすることができる。また、取付部をカメラの背面にしか設定しなくてもよいので、カメラの小型化を図りその重量増加も防止することができる。
【００１０】
上記の据置き型カメラ装置において、取付部は、カメラの背面の中央位置又は中央寄りの位置に設けられていることが好ましい。
【００１１】
取付部がカメラの背面の外縁寄りの位置に設定されていると、取付部の位置がカメラの重心位置から比較的離れてしまうため、長時間に亘る設置において、カメラが回転機構により自重で回転して位置変化を起こし、カメラの撮影範囲が移動するおそれがある。これに対し、上記の構成によると、取付部をカメラの背面の中央位置又は中央寄りの位置に設定するようにしたから、取付部の位置がカメラの重心位置付近となり、長時間に亘る設置においても、カメラが自重では回転による位置変化を起こさないようにすることができ、カメラの撮影範囲が移動するのを防止できる。
【００１２】
また、カメラの背面には、取付部を周囲で支持する補強部が設けられていることが好ましい。
【００１３】
この構成によると、取付部の周囲を補強部で補強するようにしたから、支持装置に対する取付部の支持剛性を高めることができる。それによって、支持装置との連結部分である取付部を堅固にして支持装置から加えられる力に耐え得るようにすることができる。
【００１４】
カメラは、撮像素子を含むカメラモジュールを収容する筐体を備えているのが一般的である。上記の据置き型カメラ装置においては、筐体のうちカメラの背面を構成する部分に、取付部とその取付部の周囲で筐体の内方に突出するボスとが設けられており、ボスに、筐体の内部に設けられた金属板がねじ止めされていることが好ましい。
【００１５】
この構成によると、取付部の周囲にボスを設け、そのボスに金属板を固定するようにしたから、取付部がボスと金属板によって補強され、支持装置に対する取付部の支持剛性をよりいっそう高めることができる。
【発明の効果】
【００１６】
上記の据置き型カメラ装置によれば、設置場所の自由度を高くすることができ、且つ、カメラの小型化と重量増加の防止を図ることができる。
【図面の簡単な説明】
【００１７】
【図１】実施形態に係る監視カメラ装置の正面側から見た斜視図である。
【図２】実施形態に係る監視カメラ装置の背面側から見た斜視図である。
【図３】実施形態に係る監視カメラ装置におけるカメラの背面図である。
【図４】図３のIV−IV線における監視カメラ装置の断面図である。
【図５】実施形態に係る監視カメラ装置の天井に設置した状態を示す側面図である。
【図６】実施形態に係る監視カメラ装置の床に設置した状態を示す側面図である。
【図７】実施形態に係る監視カメラ装置の右壁に設置した状態を示す側面図である。
【図８】実施形態に係る監視カメラ装置の左壁に設置した状態を示す側面図である。
【図９】実施形態に係る監視カメラ装置の後壁に設置した状態を示す側面図である。
【発明を実施するための形態】
【００１８】
以下、例示的な実施形態を図面に基づいて詳細に説明する。なお、以下の実施形態では、説明の便宜上、カメラについて、撮影方向における正面側を「前」、背面側を「後」と称し、カメラの高さ方向における上側を「上」、下側を「下」と称し、撮影方向の正面側を向いて左側を「左」、右側を「右」と称する。
【００１９】
この実施形態では、据置き型カメラ装置について、工場の生産ラインにおける工程を監視する監視カメラ装置を例に挙げて説明する。
【００２０】
図１に、この実施形態に係る監視カメラ装置１の正面側から見た斜視図を示す。図２に、監視カメラ装置１の背面側から見た斜視図を示す。図３に、監視カメラ装置１におけるカメラ３の背面図を示す。また、図４に、図３のIV−IV線における監視カメラ装置１の断面図を示す。
【００２１】
監視カメラ装置１は、工場内に設置され、生産ラインにおける任意の工程を監視するのに使用される。図示しないが、生産ラインには、ワークの状態を検知するセンサと、センサに接続されたＰＬＣ（Programmable Logic Controller）とが設置されている。監視カメラ装置１は、ケーブルを介してＰＬＣと接続されている。ＰＬＣは、生産ラインの各所に設置された複数の監視カメラ装置１に共通のものとすることができる。
【００２２】
ＰＬＣは、センサからの信号に基づいてワークの異常を判断し、ワークに異常がある場合に、監視カメラ装置１にトリガー信号を出力する。監視カメラ装置１は、電源が入ると監視工程の撮影を開始し、ＰＬＣからのトリガー信号が入力されると、その後における所定の時間に亘って撮影した映像を録画するように構成されている。
【００２３】
この監視カメラ装置１は、図１及び図２に示すように、撮影レンズ２５を正面に有する小型のカメラ３と、カメラ３を設置面に支持する支持装置５とを備える。
【００２４】
カメラ３は、図４に示すように、正面視で略正方形の直方体とされた樹脂製の筐体７と、筐体７内に収容されたカメラモジュール９とを備える。筐体７は、前側に位置するフロントケース１１と、後側に位置するリアケース１３とによって構成されている。フロントケース１１は、相対的に奥行きが長く、レンズ孔１５を前面に有する。リアケース１３は、相対的に奥行きが短く、図３に示すようにフロントケース１１と開口周縁同士を突き合せた状態で四隅をねじ１７で止めることにより固定されている。
【００２５】
カメラモジュール９は、レンズユニット１９と、撮影レンズ２５による結像を電気信号に変換するイメージセンサからなる撮像素子２１と、撮像素子２１からの信号を処理するプリント回路基板２３とを含む。レンズユニット１９は、撮影レンズ２５を含むレンズ群と、レンズ群を保持するレンズホルダ２７とによって構成されている。このレンズユニット１９は、フロントケース１１の前壁部分に組み付けられている。
【００２６】
撮影レンズ２５は、レンズユニット１９の前端に位置し、レンズ孔１５から外部に露出して前方に張り出している。撮像素子２１は、レンズユニット１９の後側に組み付けられており、ＦＰＣ（Flexible Printed Circuit）２９を介してプリント回路基板２３に接続されている。ＦＰＣ２９は、撮像素子２１から出力された電気信号をプリント回路基板２３に設けられた回路に入力するようになっている。プリント回路基板２３は、図示しないが、フロントケース１１内に設けられたボスに、例えば四隅をねじで止めることにより固定されている。
【００２７】
プリント回路基板２３の前面には、撮影した動画の記録用にＳＤカードなどのメモリカードが装着されるカードソケット３１や、図示しない、ＬＡＮ（Local Area Network）ケーブルとの接続用のＬＡＮコネクタ、ＰＬＣとの接続及び給電用のモジュラーコネクタが実装されている。カードソケット３１のカード挿入口は、筐体７の側面に形成された開口から外部に臨んでいる。ＬＡＮコネクタ及びモジュラーコネクタは、筐体７の下面で外部に露出している。
【００２８】
プリント回路基板２３の後面には、回路を構成するメイン集積回路であるＡＳＩＣ（Application Specific Integrated Circuit）３３及びその他の電子回路部品が設けられている。ＡＳＩＣ３３は、カメラ３の動作を制御する電子回路であって、カメラ３の作動に伴って発熱する性質を有する。ＡＳＩＣ３３の発熱はカメラ３の性能低下や動作不良といった不具合を招くため、この実施形態では、ＡＳＩＣ３３の熱を外部に逃がすように熱対策を講じている。
【００２９】
具体的には、ＡＳＩＣ３３は、リアケース１３との間に伝熱部材３５を挟み込んでおり、伝熱部材３５を介してリアケース１３に熱を伝達し、リアケース１３の背面から放熱するようになっている。伝熱部材３５は、熱伝導シート３７と金属板３９とである。熱伝導シート３７は、シリコーンゴムやアクリル樹脂などからなり、高い柔軟性と優れた熱伝導性を併せ持っている。金属板３９は、アルミニウムなどの熱伝導性が高い金属からなり、リアケース１３の背面部のうち内部空間に臨む面に沿わせて配置されている。
【００３０】
リアケース１３の背面部には、図３にも示すように、支持装置５が取り付けられる取付部４１が設けられている。取付部４１は、ケース内方に向けて凹んだ凹部４３と、凹部４３内に埋設されたねじ受け部品４５とによって構成されている。この取付部４１は、リアケース１３の背面の中央位置又は中央寄りの位置に配置されていて、カメラ３の重心位置付近に設定されている。また、リアケース１３の背面部のうち周縁部分を除く部分は、凹部４３から上下方向に延びる縦桟４７と、取付部４１及び縦桟４７から左右方向に延びる複数の横桟４９とを含んで構成されている。
【００３１】
これら縦桟４７及び横桟４９とは、取付部４１を周囲で支持する補強部を構成している。縦桟４７は、相対的に厚く形成されており、金属板３９を内面で支持している。凹部４３は、縦桟４７よりも内方に突出した突出部５１を形成している。金属板３９には、突出部５１に対応する形状の嵌合孔５３が形成されている。リアケース１３の背面部のうち周縁部分と、取付部４１の周囲、具体的には取付部４１の左右両側とには、ケース内方に突出したボス５５が設けられている。金属板３９は、突出部５１に嵌合孔５３を嵌合させて各ボス５５にねじ５７で止められている。
【００３２】
横桟４９は、相対的に薄く形成されており、金属板３９との間に放熱流路５９を形成している。縦桟４７及び横桟４９は、リアケース１３の背面部に複数の放熱孔６１を区画形成している。放熱孔６１は、リアケース１３の背面部のうち上下両縁部にも形成されている。ＡＳＩＣ３３から熱伝導シート３７を介して伝達された熱により金属板３９が昇温すると、煙突効果と呼ばれる現象が生じ、下側の放熱孔６１から外部の空気を放熱流路５９に引き入れながら放熱流路５９にて暖められた空気が上昇して上側の放熱孔６１から放出される。カメラ３（ＡＳＩＣ３３）は、こうした煙突効果により放熱流路５９に風が抜けることで空冷される。
【００３３】
筐体７には、上記カメラモジュール９の他、図示しないスピーカーやＬＥＤ（Light Emitting Diode）がフロントケース１１に組み付けて収容されている。スピーカーは、フロントケース１１の前面部に形成された複数の細孔（不図示）に臨んでカメラ３に内蔵されている。ＬＥＤは、フロントケース１１の前面部に設けられたランプ部（不図示）を構成している。カメラ３は、ＰＬＣからのトリガー信号が入力されると、スピーカーを鳴動させたりランプ部を発光させたりして、ワークの異常を報知するようになっている。
【００３４】
支持装置５は、図１及び図２に示すように、カメラ３の向きを変えられるように回転機構６３を有するサポート器具である。この支持装置５は、設置部品としての支柱部品６５と装着部品６７とを備える。
【００３５】
支柱部品６５は、柱状本体６９と、柱状本体６９の一端に設けられた環状のフランジ７１と、柱状本体６９の他端に設けられた第１連結部７３とによって構成されている。柱状本体６９の外周の一側には、フランジ７１側から第１連結部７３側に向かうほど深く切り込んだような形状の切欠き７５が形成されている。
【００３６】
フランジ７１には、留め孔７７が互いに間隔をあけて周方向に複数形成されている。支持装置５は、留め孔７７にボルトなどの締結具１０１を通し、当該締結具１０１でフランジ７１を、床面や壁面、そこに設置された台座などの任意の設置面（例えば、後述する設置面２０１，２０３，２０５，２０７，２０９）に留めることにより固定される（図５〜図９参照）。フランジ７１は、このようにして支持装置５が設置面に固定された状態で、その設置面に対応する取付面７８を裏面に有している。
【００３７】
第１連結部７３は、板状に形成された複数（図示する例では３つ）の挟込片７９を有する。これら複数の挟込片７９は、互いに平行に配置されており、互いの間にスリット８１を形成している。スリット８１は、支柱部品６５の両側（切欠き７５側及びその反対側）と柱状本体６９とは反対側とに開放されている。
【００３８】
装着部品６７は、締付ホイール８３と、締付ホイール８３の一側面側が回転可能に接続された第２連結部８５とを備える。締付ホイール８３の第２連結部８５とは反対側の外面には、図４に示す環状のクッション材８７が貼り付けられている。さらに、締付ホイール８３の外面の中央部には、取付ねじ８９の軸部（ねじ切り部分）が突出させて設けられている。支持装置５は、締付ホイール８３の回転操作を以て、カメラ３の取付部４１のねじ受け部品４５に取付ねじ８９を捩じ込み、締付ホイール８３とカメラ３（リアケース１３）の背面との間にクッション材８７を挟み込んだ状態にまで取付ねじ８９を締め付けることにより、カメラ３に固定される。
【００３９】
第２連結部８５は、スリット８１に対応する数（図示する例では２つ）の支持片９１を有する。これら支持片９１は、隣り合うスリット８１に対応する距離をあけて互いに対向して配置されている。装着部品６７は、各支持片９１がスリット８１に挿入された状態で、支柱部品６５に対し、側方から締付ねじからなる操作部品９３によって支柱部品６５と直交する一軸周りに回転可能に連結されている。
【００４０】
この実施形態において、支柱部品６５の第１連結部７３と、装着部品６７の第２連結部８５と、それら両連結部７３，８５を連結する操作部品９３とは、回転機構６３を構成している。回転機構６３は、装着部品６７を、支柱部品６５の切欠き７５側の位置で支柱部品６５の一側方に向けた姿勢から切欠き７５とは反対側の位置で支柱部品６５の他側方に向けた姿勢にまで１８０度に亘って回転可能とする。監視カメラ装置１は、そうした回転機構６３による装着部品６７の回転動作を以て、装着部品６７に取り付けられたカメラ３の撮影方向を、支持装置５の取付面７８に垂直な方向と取付面７８に平行な方向との間で可変に構成されている。回転機構６３は、撮影方向可変機構の一例である。
【００４１】
上記構成の監視カメラ装置１では、操作部品９３を緩めた状態にすると、支柱部品６５に対して装着部品６７を回転させることができ、装着部品６７を所望の位置に調整することができる。そして、操作部品９３を締め込むと、挟込片７９と支持片９１とが共締めされることにより、支柱部品６５に対して装着部品６７を所望の位置で固定することができる。また、カメラ３に対する回転機構６３の回転軸心の向き、つまり操作部品９３の軸方向は、装着部品６７をカメラ３の背面に固定するときに自由に設定することができる。
【００４２】
監視カメラ装置１の設置例について、図５〜図９を参照しながら説明する。図５は、監視カメラ装置１を天井に設置した状態を示す側面図である。図６は、監視カメラ装置１を床に設置した状態を示す側面図である。図７は、監視カメラ装置１を左壁に設置した状態を示す側面図である。図８は、監視カメラ装置１を右壁に設置した状態を示す側面図である。図９は、監視カメラ装置１を後壁に設置した状態を示す側面図である。
【００４３】
監視カメラ装置１を工場内の天井面又は天井に取り付けられた台座からなる設置面２０１に設置する場合には、例えば図５に示すように、支柱部品６５に対して装着部品６７を切欠き７５とは反対側の位置にて設置面２０１に平行な方向に向く姿勢で固定し、カメラ３をその上下方向が支柱部品６５の長手方向及び重力方向と一致する姿勢で支持装置５に取り付け、支持装置５のフランジ７１を設置面２０１に締結具１０１で固定することにより設置される。
【００４４】
監視カメラ装置１を工場内の床面又は床に取り付けられた台座からなる設置面２０３に設置する場合には、例えば図６に示すように、支柱部品６５に対して装着部品６７を切欠き７５側の位置にて設置面２０３に平行な方向に向く姿勢で固定し、カメラ３をその上下方向が支柱部品６５の長手方向及び重力方向と一致する姿勢で支持装置５に取り付け、支持装置５のフランジ７１を設置面２０３に締結具１０１で固定することにより設置される。
【００４５】
監視カメラ装置１を工場内においてカメラ３に向かって右側の壁面又は右側の壁に取り付けられた台座からなる設置面２０５に設置する場合には、例えば図７に示すように、支柱部品６５に対して装着部品６７を切欠き７５とは反対側の位置にて設置面２０５に平行な方向に向く姿勢で固定し、カメラ３をその上下方向が支柱部品６５の長手方向と直交すると共に重力方向と一致する姿勢で支持装置５に取り付け、支持装置５のフランジ７１を設置面２０５に締結具１０１で固定することにより設置される。
【００４６】
監視カメラ装置１を工場内においてカメラ３に向かって左側の壁面又は左側の壁に取り付けられた台座からなる設置面２０７に設置する場合には、例えば図８に示すように、支柱部品６５に対して装着部品６７を切欠き７５とは反対側の位置にて設置面２０７に平行な方向に向く姿勢で固定し、カメラ３をその上下方向が支柱部品６５の長手方向と直交すると共に重力方向と一致する姿勢で支持装置５に取り付け、支持装置５のフランジ７１を設置面２０７に締結具１０１で固定することにより設置される。
【００４７】
監視カメラ装置１を工場内においてカメラ３に向かって後側の壁面又は後側の壁に取り付けられた台座からなる設置面２０９に設置する場合には、例えば図９に示すように、支柱部品６５に対して装着部品６７を設置面２０９に垂直な方向に向けた姿勢で固定し、カメラ３を上下方向が支柱部品６５の長手方向と直交すると共に重力方向と一致する姿勢で支持装置５に取り付け、支持装置５のフランジ７１を設置面２０９に締結具１０１で固定することにより設置される。
【００４８】
この実施形態に係る監視カメラ装置１によると、カメラ３の背面に取付部４１を設け、その取付部４１にてカメラ３の背面に支持装置５を固定し、支持装置５に、カメラ３の撮影方向を、当該支持装置５の取付面７８に垂直な方向とその取付面７８に平行な方向との間（つまり、監視カメラ装置１の設置面に垂直な方向とその設置面に平行な方向との間）で可変とする回転機構６３を持たせるようにしたから、支持装置５の設置場所に応じてカメラ３の向きを自由に変えることができる。これにより、監視カメラ装置１の設置場所の自由度を高くすることができる。また、取付部４１をカメラ３の背面にしか設定しなくてもよいので、カメラ３の小型化を図りその重量増加も防止することができる。
【００４９】
また、この実施形態に係る監視カメラ装置１によると、取付部４１をカメラ３の背面の中央位置又は中央寄りの位置に設定するようにしたから、取付部４１の位置がカメラ３の重心位置付近となり、長時間に亘る使用においても、カメラ３が自重では回転による位置変化を起こさないようにすることができ、カメラ３の撮影範囲が移動するのを防止できる。
【００５０】
また、この実施形態に係る監視カメラ装置１によると、取付部４１の周囲を縦桟４７及び横桟４９で補強し、且つ取付部４１の周囲に設けられたボス５５に金属板３９を固定するようにしたから、取付部４１がそれら縦桟４７及び横桟４９とボス５５及び金属板３９とによって補強され、支持装置５に対する取付部４１の支持剛性を高めることができる。それによって、支持装置５との連結部分である取付部４１を堅固にして支持装置５から加えられる力に耐え得るようにして、カメラ３を破損し難くすることができる。
【００５１】
以上のように、ここに開示する技術の例示として、好ましい実施形態について説明した。しかし、ここに開示する技術は、これに限定されず、適宜、変更、置き換え、付加、省略などを行った実施の形態にも適用可能である。また、添付図面及び詳細な説明に記載された構成要素の中には、課題解決のためには必須でない構成要素も含まれ得る。そのため、それらの必須でない構成要素が添付図面や詳細な説明に記載されていることを以て、直ちにそれらの必須でない構成要素が必須であるとの認定をするべきではない。
【００５２】
例えば、上記実施形態について、以下のような構成としてもよい。
【００５３】
上記実施形態では、回転機構６３が支柱部品６５と装着部品６７とが操作部品９３によって一軸周りに１８０度の範囲で回転可能に連結された構成を例に挙げて説明したが、これに限らない。回転機構６３は、支柱部品６５と装着部品６７とが１８０度未満の範囲、例えば支柱部品６５の切欠き７５側或いはその反対側から取付面７８に垂直な方向（設置面が臨む方向）に亘る９０度程度の範囲で回転可能とする構成であってもよいし、１８０度を超えた範囲で回転可能とする構成であっても構わない。
【００５４】
また、回転機構６３は、例えば、ボールスタッド及びそのボールスタッドに球面接触するソケットからなるボールジョイントによって構成されていてもよいし、支持装置５に回転機能を付与するその他の機構であっても構わない。その他、支持装置５は、回転機構６３に代えて、装着部品６７と支柱部品６５とを連結するフレキシブルアームを備え、そのフレキシブルアームが撮影方向可変機構を構成していてもよい。これら回転機構６３やフレキシブルアームなどは、撮影方向可変機構の一例に過ぎず、要は、支持装置５が、支柱部品６５に対する装着部品６７の位置及び姿勢を変えることで、カメラ３の撮影方向を、支柱部品６５の取付面７８に垂直な方向とその取付面７８に平行な方向との間で可変とする機構を備えていればよい。
【００５５】
また、上記実施形態では、カメラ３の背面に補強部として縦桟４７及び横桟４９が設けられ、これら縦桟４７及び横桟４９により複数の放熱孔６１が区画形成されているとしたが、これに限らない。カメラ３の背面には、図３に示すような放熱孔６１を有しておらず、補強部として縦桟４７及び横桟４９に代えてそれらに相当する位置に補強リブが形成されていてもよいし、取付部４１を周囲で支持するものであればその他の構成の補強部が設けられていてもよい。
【００５６】
また、上記実施形態では、本開示の技術に係る据置き型カメラ装置について、工場の生産ラインを監視する監視カメラ装置１を例に挙げて説明したが、これに限らない。工場用の監視カメラ装置１は、据置き型カメラ装置の一例に過ぎず、本開示の技術に係る据置き型カメラ装置は、高速道路などで交通流量の計測やスピード違反の取締りに用いられるカメラ装置、店舗や駅などの公共施設の防犯又は防災に用いられるカメラ装置など、用途は限らず公知である種々の据置き型カメラ装置に適用することが可能である。
【産業上の利用可能性】
【００５７】
以上説明したように、本開示の技術は、監視カメラ装置のような長時間に亘って所定の場所を撮影する据置き型カメラ装置について有用である。
【符号の説明】
【００５８】
１…監視カメラ装置（据置き型カメラ装置）、３…カメラ、５…支持装置、７…筐体、
９…カメラモジュール、１１…フロントケース、１１ａ…細孔、１３…リアケース、
１５…レンズ孔、１７…ねじ、１９…レンズユニット、２１…撮像素子、
２３…プリント回路基板、２５…撮影レンズ、２７…レンズホルダ、
２９…ＦＰＣ、３１…カードソケット、３３…ＡＳＩＣ、３５…伝熱部材、
３７…熱伝導シート、３９…金属板、４１…取付部、４３…凹部、４５…ねじ受け部品、
４７…縦桟（補強部）、４９…横桟（補強部）、５１…突出部、５３…嵌合孔、
５５…ボス、５７…ねじ、５９…放熱流路、６１…放熱孔、
６３…回転機構（撮影方向可変機構）、６５…支柱部品（設置部品）、６７…装着部品、
６９…柱状本体、７１…フランジ、７３…第１連結部、７５…切欠き、７７…留め孔、
７８…取付面、７９…挟込片、８１…スリット、８３…締付ホイール、
８５…第２連結部、８７…クッション材、８９…取付ねじ、９１…支持片、
９３…操作部品、１０１…締結具、２０１，２０３，２０５，２０７，２０９…設置面
【図１】
2019087776.tif 000003
【図２】
2019087776.tif 000004
【図３】
2019087776.tif 000005
【図４】
2019087776.tif 000006
【図５】
2019087776.tif 000007
【図６】
2019087776.tif 000008
【図７】
2019087776.tif 000009
【図８】
2019087776.tif 000010
【図９】
2019087776.tif 000011